(57)【特許請求の範囲】
【請求項１】
固定框体内に、ピニオンを有する複数の取り付けネジと、複数の前記ピニオンを駆動するギアと、複数のアイドルギアを備え、前記ギアは前記複数のアイドルギアを介して前記複数のピニオンを駆動し、前記複数の取り付けネジのネジ部は押し出しバネにより固定框体外に突出するように付勢されていることを特徴とする部品取り付け装置。
【請求項２】
請求項１記載の部品取り付け装置において、前記ギアは中心部に前記ギアを回転させるツマミを取り付けるための断面切り欠き円状のツマミ取り付け部が形成され、該ツマミ取り付け部に前記ツマミを取り付けたことを特徴とする部品取り付け装置。
【請求項３】
請求項１または２に記載の部品取り付け装置を用いたことを特徴とするテレビスタンド。
【発明の詳細な説明】
【０００１】
【発明の属する技術分野】
本発明は、部品取り付け装置及びテレビスタンドに関し、さらに詳しくは、テレビ等の物品をテレビスタンド等の被取り付け部材へ固定具を用いて取り付ける際の部品取り付け装置及び該部品取り付け装置を使用したテレビスタンドに関する。
【０００２】
【従来の技術】
表示装置に液晶表示パネルを用いた液晶テレビが普及している。液晶テレビは表示装置が比較的軽量で薄型であることから、テレビスタンド等へ着脱自在に固定することが行われるが、液晶テレビと雖も形が大型になれば、重量も大となり、テレビスタンド等へ確実に固定するには、固定装置も大型となり、固定作業も容易でないものとなる。
テレビをテレビスタンド等へ固定するための取り付け装置に関し、以下のような従来例がある。
【０００３】
図６は、液晶テレビをテレビスタンドへ取り付ける一般的な取り付け装置を液晶テレビ本体とともに示す斜視図である。
テレビスタンドＡは、スタンド基部Ｂ、テレビ固定部Ｃ及びヒンジ部Ｄからなり、テレビ固定部Ｃはヒンジ部Ｄによりスタンド基部Ｂに対し角度調整可能に取り付けられている。テレビ本体Ｅは、テレビスタンドＡのテレビ固定部Ｃに４本の取り付けネジＦで固定されている。
【０００４】
また、特開平６−３３４９４３号公報に開示された「小型テレビスタンド」は、スタンド本体に取り付けられた取付台に係止鍔部を有する係止部材を固定し、この係止部材の外周面の雄ねじに回転部材の貫通孔の内面に設けられた雌ねじを螺合させて係止部材に回転部材を取り付け、この回転部材の外周面に操作レバーを側方へ突設させ、液晶テレビの係合部を係止部材の係止鍔部に係合させ、操作レバーの操作により回転部材を回転させながら上方に移動させると、液晶テレビの係合部が係止鍔部に押し付けられ固定される。このとき、回転部材の雌ねじと係止部材の雄ねじが２条ねじで形成されているので、回転部材の少ない回転量で確実に液晶テレビを固定することができ、また操作レバーの操作時に力が入れやすく、強く締め付けることができることで、操作時に力が入れやすく、少ない回転量で液晶テレビを確実に固定できる、操作性の良い小型テレビスタンドを提供するものである。
【０００５】
また、特開平１０−１３７６７号公報に開示された「テレビ用スタンド」は、中空軸の上部に、テレビ取り付け用ステーを設け、中空軸の下部に脚を設け、テレビ取り付け用ステーにテレビをビスで固定し、床面よりテレビが脚、中空軸により自立できるようにしたテレビ用スタンドであり、テレビを固定し、床に置き、見る人にあわせて手軽に移動してテレビを楽しむことができるテレビ用スタンドを提供するものである。
【０００６】
【発明が解決しようとする課題】
液晶テレビをテレビスタンドへ取り付ける一般的な取り付け装置としては、図６や特開平１０−１３７６７号公報に示されたような、取り付け装置の大きさや重量に応じて複数のビス締めで固定することが行われる。
しかしながら、複数のビスでテレビ本体を固定する方法では、スタンド等の固定部品へテレビ本体を着脱する作業が煩雑であり、取り付けに工具が必要であるという問題を有している。
【０００７】
特開平６−３３４９４３号公報に開示された小型テレビスタンドは、１個所においてビスとナットを締め付けることにより、簡単に液晶テレビをテレビスタンドに取り付けることができるが、ビス締め個所が少ないことは取り付け強度がそのポイントに集中するため、強度の大きい部品が必要となることや、取り付け後の回転防止等には複数の凹凸嵌合やビス固定補充等が必要になり、液晶テレビが大型になると１個所締め付けでは保持できなくなる等の問題がある。
【０００８】
本発明は，以上のような状況に鑑みなされたもので、スタンド等の被固定部材に対しテレビ等の物品を固定具の締め付けによって取り付ける際、工具を使用せず手動により確実に、かつ容易に取り付けることができる部品取り付け装置及び該部品取り付け装置を使用したテレビスタンドを提供することを目的とする。
【００１１】
【課題を解決するための手段】
本発明は前記した課題を解決するための手段を提供するもので、第１の技術手段は、固定框体内に、ピニオンを有する複数の取り付けネジと、複数の前記ピニオンを駆動するギアと、複数のアイドルギアを備え、前記ギアは前記複数のアイドルギアを介して前記複数のピニオンを駆動し、前記複数の取り付けネジのネジ部は押し出しバネにより固定框体外に突出するように付勢されていることを特徴とする。
【００１２】
第２の技術手段は、第１の技術手段の部品取り付け装置において、前記ギアは中心部に前記ギアを回転させるツマミを取り付けるための断面切り欠き円状のツマミ取り付け部が形成され、該ツマミ取り付け部に前記ツマミを取り付けたことを特徴とする。
【００１４】
第３の技術手段は、第１または第２の技術手段の部品取り付け装置を用いたテレビスタンドであることを特徴とする。
【００１５】
【発明の実施の形態】
以下、本発明の実施の形態を図１〜図４に示す実施例に基づいて説明する。
図１は、本発明の実施例による部品取り付け装置を示す斜視図であり、部品取り付け装置をテレビスタンドに適用した例である。なお、図１では説明の都合上、テレビ固定部Ｃを覆うカバーを取り外した状態で示している。
テレビスタンドＡは、スタンド基部Ｂ、テレビ固定部Ｃ及びヒンジ部Ｄからなり、テレビ固定部Ｃはヒンジ部Ｄによってスタンド基部Ｂに対し角度調整自在に取り付けられている。
【００１６】
図２は、テレビ固定部の実施例を示す分解斜視図である。
図１、図２に示すように、テレビ固定部Ｃはヒンジ部Ｄによりスタンド基部Ｂに対し回動自在に支持された固定部框体１０からなり、固定部框体１０内部のほぼ中央部にギア２０を支持しており、ギア２０の外周に歯形２１が形成され、ギア２０の周囲に設けられた４個のアイドルギア３０がそれぞれ噛み合っている。また、４個のアイドルギア３０のそれぞれに隣接して、一端にアイドルギア３０と噛み合うピニオン４１が形成され、他端に雄ネジ４２が形成された４個の取り付けネジ４０が設けられ、それぞれのピニオン４１がそれぞれ４個のアイドルギア３０と噛み合っている。そして、取り付けネジ４０は、押し出しバネ５０により雄ネジ４２が固定部框体１０外に突出するように付勢されている。
ギア２０、４個のアイドルギア３０、４個の取り付けネジ４０等が収納された固定部框体１０の開口部はカバー６０で覆われている。
【００１７】
以下、各構成要素の構成について説明する。
テレビスタンドＡの主要部分を成すテレビ固定部Ｃは、固定部框体１０からなり、内部のほぼ中央部にギア２０を取り付けるギア取り付け軸穴１１が形成され、またギア２０に噛み合うアイドルギア３０を取り付けるアイドルギア取り付け軸穴１２が形成されている。また、取り付けネジ４０の雄ネジ４２を框体外に向け押し出すための押し出しバネ５０を保持するバネ保持凹部１３が、それぞれ取り付けネジ４０と同数の４個所に形成されている。さらに、開口部を隠蔽するためのカバー６０を取り付けるカバー固定ネジ６３を螺合する穴付き凸部１４が４個所に設けられている。
ギア２０は、周囲に歯形２１が形成され、中心部にギア２０を回転させるツマミ７０を取り付けるための断面切り欠き円状のツマミ取り付け部２２を設けるとともに、ツマミ７０を固定するツマミ取り付けネジ用穴２３を有する。
【００１８】
アイドルギア３０は、周囲に歯形３１が形成され、固定部框体１０のアイドルギア取り付け軸穴１２に嵌合する軸部３２を有する。
取り付けネジ４０は、一端にアイドルギア３０と噛み合う歯形が形成されたピニオン４１を有し、反対側の端部に雄ネジ４２が形成され、雄ネジ４２はテレビ本体Ｅに形成された雌ネジ８３と螺合して取り付けるのに十分な長さの右ネジである。
押し出しバネ５０は、固定部框体１０のバネ保持凹部１３と取り付けネジ４０のピニオン側の頭部間に介在し、取り付けネジ４０を常にテレビ本体側へ押し出している。
【００１９】
カバー６０は、固定部框体１０の開口部を隠蔽し、取り付けネジ４０の雄ネジ４２側の軸部を挿通する軸穴６１、及び軸穴６１の周囲に取り付けネジ４０及び押し出しバネ５０を支持するリブ６２を有し、カバー固定ネジ６３を取り付ける取り付け穴６４、テレビ本体との位置決めを行う位置決め凸部６５を有する。
ツマミ７０は、軸部７１にギア２０のツマミ取り付け部２２と嵌合する一部切り欠き円状の取り付け凹部７２を有し、ツマミ７０を手動で回転させる際、手が滑らないような形状を有している。
【００２０】
テレビ本体ＥをテレビスタンドＡに取り付ける方法について説明する。
図３は、テレビ本体ＥとテレビスタンドＡの関係を示す図で、テレビ本体Ｅの背面側から見た取り付け前の様子を示す斜視図である。
図４は、テレビ本体ＥをテレビスタンドＡに取り付ける際の様子を示す図で、図４（Ａ）は正面図、図４（Ｂ）は図４（Ａ）のＡ−Ａ断面図である。
カバー６０に形成された位置決め凸部６５をテレビ本体Ｅの背面パネル８１に形成された位置決め凹部８２へ嵌合し、テレビ本体ＥとテレビスタンドＡとの取り付け位置を決める。
その状態で、ツマミ７０を図４の矢印ア方向へ回転すると、ツマミ７０は直結されたギア２０を矢印イ方向へ回転する。
ギア２０には４個のアイドルギア３０が噛み合っているので、４個のアイドルギア３０が同時に同一トルクで矢印ウ方向へ回転し、それぞれに噛み合った取り付けネジ４０のピニオン４１を雄ネジ４２とともに矢印エ方向へ回転する。
４個の取り付けネジ４０が矢印エ方向へ回転することにより、それぞれの雄ネジ４２がテレビ本体Ｅの背面パネル８１に形成された４個の本体雌ネジ８３に同時にねじ込まれ、テレビ本体ＥがテレビスタンドＡに取り付けられる。この場合、アイドルギア３０はツマミ７０の回転運動方向と同方向の回転を取り付けネジ４０へ伝達する働きを有する。
【００２１】
次に、テレビ本体ＥをテレビスタンドＡから取り外す方法について説明する。
図５は、テレビ本体ＥをテレビスタンドＡから取り外す際の様子を示す図で、図５（Ａ）は正面図、図５（Ｂ）は図５（Ａ）のＡ−Ａ断面図である。
テレビ本体ＥがテレビスタンドＡに取り付けられた状態において、図５（Ｂ）の矢印ア方向へツマミ７０を回転させることにより、ツマミ７０と直結されたギア２０は図５（Ｂ）の矢印イ方向に回転する。
ギア２０には、４個のアイドルギア３０が噛み合っているので、４個のアイドルギア３０が同時に同一トルクで矢印ウ方向へ回転し、それぞれに噛み合った取り付けネジ４０のピニオン４２を雄ネジ４１とともに矢印エ方向へ回転する。
取り付けネジ４０の矢印エ方向への回転により、取り付けネジ４０の雄ネジ４２がテレビ本体Ｅの本体雌ネジ８３から外れテレビスタンドＡより外される。
【００２２】
以上の実施例では、取り付けネジ４０として右ネジが形成された４本のネジを使用した例について示したが、取り付けネジ４０は４本に限られるものではなく、取り付けられるものの大きさや重量に応じ適宜数とすることができる。
また、それぞれの取り付けネジ４０にピニオン４１を形成し、ギア２０、アイドルギア３０を介し歯車機構によって、ツマミ７０を用い手動で取り付けネジ４０を駆動する構成としたが、駆動機構は歯車機構に限られるものではなく、取り付けネジに形成されたピニオンやギアに替え、スプロケットを形成し、チェーンあるいは歯付きベルト等を用いて駆動する構成とすることもできる。
また、スタンドはテレビスタンドに限られるものではなく、取り付けられるものもテレビに限られるものでなく、家具、装飾品等あらゆる物品の取り付け装置として利用可能なものである。
【００２３】
【発明の効果】
以上の説明から明らかなように、本発明によれば以下のような効果を奏する。
本発明のテレビスタンド等の部品取り付け装置は、ツマミを手動で駆動することにより、同時に複数個の取り付けネジに同時に回転運動を伝達し、各取り付けネジが均等のトルクでテレビ等の製品をテレビスタンド等の被取り付け体に取り付けることができる。
また、取り付け作業、取り外し作業に工具を使用することなく、種々の製品をスタンド等に対する安定した固定を、容易に実現することができる。
【図面の簡単な説明】
【図１】本発明の実施例の部品取り付け装置を示す斜視図である。
【図２】テレビ固定部を示す分解斜視図である。
【図３】テレビ本体とテレビスタンドの関係を、テレビ本体の背面側から見た取り付け前の様子を示す斜視図である。
【図４】テレビ本体をテレビスタンドに取り付ける際の様子を示す図で、図４（Ａ）は正面図、図４（Ｂ）は図４（Ａ）のＡ−Ａ断面図である。
【図５】テレビ本体をテレビスタンドから取り外す際の様子を示す図で、図５（Ａ）は正面図、図５（Ｂ）は図５（Ａ）のＡ−Ａ断面図である。
【図６】液晶テレビをテレビスタンドへ取り付ける一般的な取り付け装置を示す斜視図である。
【符号の説明】
Ａ…テレビスタンド、Ｂ…スタンド基部、Ｃ…テレビ固定部、Ｄ…ヒンジ部、Ｅ…テレビ本体、１０…固定部框体、１１…ギア取り付け軸穴、１２…アイドルギア取り付け軸穴、１３…ばね保持凹部、１４…穴付き凸部、２０…ギア、２１…歯形、２２…ツマミ取り付け部、２３…ツマミ取り付け用ネジ穴、３０…アイドルギア、３１…歯形、３２…軸部、４０…取り付けネジ、４１…ピニオン、４２…雄ネジ、５０…押し出しバネ、６０…カバー、６１…軸穴、６２…リブ、６３…カバー固定ネジ、６４…取り付け穴、６５…位置決め凸部、６６…カバー固定ネジ穴部、７０…ツマミ、７１…軸部、７２…一部切り欠き円状の取り付け凹部、８１…背面パネル、８２…位置決め凹部、８３…本体雌ネジ。
【図１】
0003696180.tif 000002
【図２】
0003696180.tif 000003
【図３】
0003696180.tif 000004
【図４】
0003696180.tif 000005
【図５】
0003696180.tif 000006
【図６】
0003696180.tif 000007